(57)【要約】【課題】  アスベスト除去現場や粉塵公害を拡散させられない作業場、および、有毒ガスや細菌等で汚染された区域などで、確実に外部との隔離を要する作業で利用する使い捨てを前提にした、低価格で、保管スペースを低減した仮設廊下の考案を提供する。【解決手段】  距離に応じて切断し、あるいは継ぎ足された塩ビシート、または、ポリエチレンシート製の長尺筒状シート（１）内に樹脂、あるいは金属製パイプを螺旋状に整形したトンネルの骨組み（２）が長尺筒状シート内（１）で伸延し外部と隔離するトンネルを順次形成する。更に、階段等の段部には、筒状ヒンジ（４ａ）（４ｂ）が縦方向の骨組みを摺動して蹴上高、及び、踏面幅に合わせて骨組みが自立する段専用の螺旋型骨組み（４）を使用する。  また、作業終了後にシートトンネルを撤去する際は、内側の螺旋型骨組み（２）（４）を片側から順次畳んで取り除き、最後に長尺筒状シート（１）を廃棄処分する。【選択図】図２
2007175459.tif 000002
【特許請求の範囲】
【請求項１】
有毒物質が人や物品へ付着することを防止し、あるいは、有毒物質が外界に拡散することを防止して汚染区域と清浄区域を隔離して人や物品が往来可能なトンネル状の廊下を形成する長尺筒状シート（１）の内側に螺旋型骨組み（２）（４）を構成することを特徴とするシートトンネル。
【請求項２】
請求項１における長尺筒状シート（１）の製作方法において、２枚の単平シートを重ねてシーム溶接用の作業台を摺動させるときに単平シートが互に密着することを防止する粉末材は、該螺旋型骨組み（２）（４）を長尺筒状シート（１）内で伸縮させるときの長尺筒状シート（１）との摩擦を低減して、トンネル用シートの擦過傷を防ぎながら長尺筒状シート（１）の内側に螺旋型骨組み（２）（４）が伸縮することを特徴とするシートトンネル。
【請求項３】
請求項１における螺旋型骨組み（２）（４）は、バネのごとく伸縮式であり、長尺筒状シート（１）の内側で伸縮することによりシートトンネルの骨組みとして作用し、設置及び撤去において長尺筒状シート（１）内を伸縮することを特徴とするシートトンネル。
【請求項４】
請求項１におけるシートトンネルを階段部で実現するための専用螺旋型骨組み（４）は、横方向の骨組み端の筒状ヒンジ（４ａ）（４ｂ）が縦方向の骨組みを摺動して階段の蹴上げ高さ及び踏み面幅に合わせることで長尺筒状シート（１）の内側に螺旋型骨組み（４）を構成することを特徴とするシートトンネル。
【発明の詳細な説明】
【特許の詳細な説明】
【特許の属する技術分野】
【０００１】  本特許は、有毒物質が人や物品へ付着することを防止し、あるいは、有毒物質が外界に拡散することを防止して汚染区域と清浄区域を隔離して人や物品が往来可能なトンネル状の廊下を形成する仮設式のシートトンネルに関する。
【背景技術】
【０００２】  周知の通り、有毒ガスや細菌汚染などの事故現場やアスベスト除去の作業現場などでは、仮設的に樹脂製の筒状のトンネルを連ね人や物品を往来させ、汚染区域と清浄区域を隔離している。【０００３】  しかし、樹脂製のトンネルは自立させるために、自重で潰れない材料強度が必要で、重量と価格が扱い安さを低減している。【０００４】  また、緊急時や仮設時の使用でありながら保管スペースもかさむようである。
【発明の開示】
【発明が解決しようとする課題】
【０００５】  特に、アスベスト除去に関する新たな法律では、建設物などの解体工事で有害アスベストを撤去する際は、外部への拡散を防止するために室ごとにビニールシートで囲った上で除去し、尚かつ作業員の身体にアスベストの粉塵が付いたまま現場から出ることを禁止している。【０００６】  また、防護服や防塵マスクのフィルターは使い捨てであり、室を囲ったビニールシートも廃棄することで再利用を禁止している。【０００７】  そこで、本発明は、アスベスト除去現場や粉塵公害を拡散させられない作業場、および、有毒ガスや細菌等で汚染された区域で、外部と隔離して救援作業などに利用する、使い捨てを前提に低価格で保管スペースを低減した仮設廊下の考案を提供するものである。
【課題を解決するための手段】
【０００８】  本特許が上記課題を解決するにあたり、完全に外部と隔離するために塩化ビニールシート、あるいは、ポリエチレンシート等の透過性のない薄膜を長尺筒状に作成しトンネルの壁面とする。【０００９】  この長尺筒状シート（１）は、必要距離に応じて切断し、あるいは継ぎ足して使用される。【００１０】  また、トンネルの骨組みは、樹脂、あるいは金属製のパイプを人が往来できる内法の螺旋状に整形し、長尺筒状シート内（１）で伸延してトンネルの骨組みとなる。【００１１】  この螺旋型骨組み（２）は、廊下の距離に合わせて長尺筒状シート内で継ぎ足され、その接続部は開８型の接続部材（３）にて前後の螺旋型骨組み（２）を接続しつつトンネルを順次形成する。【００１２】  更に、階段等の段部には、段専用の螺旋型骨組み（４）を使用する。その段専用螺旋型骨組み（４）は、横方向の骨組み端に取り付ける筒状ヒンジ（４ａ）（４ｂ）が縦方向の骨組みを摺動して階段等の蹴上げ高さ、及び、踏み面幅に合わせて骨組みが自立することで長尺筒状シート（１）の内側に骨組みとして作用する。【００１３】  また、このシートトンネルを撤去する際は、内側の螺旋型骨組み（２）（４）を片側から順次畳んで取り除き、最後に長尺筒状シート（１）を畳んで廃棄等の処分をする。
【発明の効果】
【００１４】  以上、本発明は、高い気密性が要求される有毒ガスや細菌汚染などの事故現場やアスベスト除去の作業現場などの仮設廊下用として、施工の簡便さと部材保管の省スペース化を実現し、更に、低価格を実現することで使用後の廃棄処分化を実現し、危険物質の場外拡散を防止することができる。【００１５】  具体的に、本発明は、粉塵の拡散を防止する仮設ユニット式建て屋である特願２００５−２５８４５６とアスベスト除去現場を連絡する廊下として利用することで、粉塵の構外への拡散防止の義務化にも確実に対応し、作業員以外にも周辺住民への健康被害を回避できる。
【考案実施の形態】
【００１６】  本考案の実施形態について具体的に図面に基づいて説明する。
【００１７】  図１は、長尺筒状シート（１）の内側に伸縮する螺旋型骨組み（２）を挿入して簡易トンネル廊下を形成する完成図である。
【００１８】  長尺筒状シート（１）の片側から螺旋型骨組み（２）を挿入して、螺旋型骨組み（２）を伸延することで順次トンネルが形成される。
【００１９】  図２は、階段等の段部において、段専用の螺旋型骨組み（４）が横方向の骨組み端に取り付ける筒状ヒンジ（４ａ）（４ｂ）が縦方向の骨組みを摺動し、段の蹴上げ、及び、踏み面に従って組み立てられたトンネルが形成される様子を表わしている。
【図面の簡単な説明】
【００２０】
【図１】  本考案の実施形態図である。
【００２１】
【図２】  本考案の段部分の実施形態図である。
【００２２】
【図３】  本考案の実施形態における開８型の接続用部材図である。
【００２３】
【図４】  本考案の実施形態の内、段部分専用骨組みの筒状ヒンジ図である。
【符号の説明】
【００２４】（１）    長尺筒状シート
（２）    螺旋型骨組み
（３）    開８型の接続用部材
（４）    段専用螺旋型骨組み
（４ａ）  下部筒状ヒンジ
（４ｂ）  上部筒状ヒンジ
【図１】
2007175459.tif 000003
【図２】
2007175459.tif 000004
【図３】
2007175459.tif 000005
【図４】
2007175459.tif 000006